【事件の表示】
　特許第２７８８５８６号「光磁気ディスク記録再生装置」の請求項１ないし３に係る特許に対する特許異議の申立てについて、次のとおり決定する。
【結論】
　訂正を認める。
　特許第２７８８５８６号の請求項１ないし３に係る特許を維持する。
【理由】
１．手続の経緯
　本件特許第２７８８５８６号の発明は、平成４年１２月１０日に特許出願され、平成１０年６月５日に特許権の設定がなされ、その後特許異議申立人山尾信彦より特許異議の申立てがなされ、取消理由通知がなされ、その指定期間内である平成１１年７月２７日に訂正請求がなされたものである。
２．訂正の適否
（１）訂正の要旨
　本件訂正請求は、本件特許第２７８８５８６号の特許明細書（記載欄及び記載行位置は特許公報上のものをもって代用する）の、
（イ）特許請求の範囲の請求項１の第６〜１２行の『前記搬送手段と〜とを備え、』の記載を『前記搬送手段と前記磁気ヘッド駆動手段とに共通の駆動源からの駆動力を伝達し前記光磁気ディスクを前記ターンテーブルから離し前記磁気ヘッドを前記光磁気ディスクから離した第１の位置とする状態、前記光磁気ディスクを前記ターンテーブルに装着し前記磁気ヘッドを前記光磁気ディスクから離した前記第１の位置とする状態および前記光磁気ディスクを前記ターンテーブルに装着し前記磁気ヘッドを前記光磁気ディスクに接触させた第２の位置とする状態に遷移させる作動部材とを備え、』と補正する。
（ロ）特許明細書の【００１１】第６〜１２行の『前記搬送手段と〜とを備え、』の記載を『前記搬送手段と前記磁気ヘッド駆動手段とに共通の駆動源からの１駆動力を伝達し前記光磁気ディスクを前記ターンテーブルから離し前記磁気ヘッドを前記光磁気ディスクから離した第１の位置とする状態、前記光磁気ディスクを前記ターンテーブルに装着し前記磁気ヘッドを前記光磁気ディスクから離した前記第１の位置とする状態および前記光磁気ディスクを前記ターンテーブルに装着し前記磁気ヘッドを前記光磁気ディスクに接触させた第２の位置とする状態に遷移させる作動部材とを備え、』と補正する。
２）訂正の目的の適否及び拡張・変更の有無
　（イ）の訂正は、特許請求の範囲において、光磁気ディスクの搬送位置と磁気ヘッドの位置関係をより詳細に規定するもので、特許明細書の第６欄第３〜８行、第１１〜１８行の記載及び図１、２のスライダ１２のカム溝１２ａの形状等に基づいていることから、特許請求の範囲の減縮に該当する。
　（ロ）の訂正は、上記（イ）の訂正にともない、関連事項を訂正して、特許請求の範囲の記載と整合させるためのものであり、明りょうでない記載の釈明に該当する。
　以上のように、これらの訂正はいずれも特許請求の範囲の減縮、明りょうでない記載の釈明を目的とするとともに、その訂正内容は特許明細書の記載又は図面に記載された事項の範囲内のものであって、新規な事項を加えておらず、さらに実質的に特許請求の範囲を拡張又は変更するものではない。
（３）独立特許要件の判断
ｉ）訂正明細書の発明
　訂正明細書の発明は、訂正明細書及び図面の記載からみて、その特許請求の範囲の第１項ないし第３項に記載されている以下の事項により特定される通りのものと認められる。
「【請求項１】カートリッジに内蔵された光磁気ディスクをターンテーブルに装着する搬送手段と、前記光磁気ディスクの信号記録トラックにレーザスポットを照射する光ピックアップと、前記光磁気ディスクを挟んで前記レーザスポットの背面から磁界を印加する磁気ヘッドと、前記磁気ヘッドを前記光磁気ディスクに接離させる磁気ヘッド駆動手段と、前記光磁気ディスクの記録が許可されているか否かを識別する識別手段と、前記搬送手段と前記磁気ヘッド駆動手段とに共通の駆動源からの駆動力を伝達し前記光磁気ディスクを前記ターンテーブルから離し前記磁気ヘッドを前記光磁気ディスクから離した第１の位置とする状態、前記光磁気ディスクを前記ターンテーブルに装着し前記磁気ヘッドを前記光磁気ディスクから離した前記第１の位置とする状態および前記光磁気ディスクを前記ターンテーブルに装着し前記磁気ヘッドを前記光磁気ディスクに接触させた第２の位置とする状態に遷移させる作動部材とを備え、
　前記識別手段により装着された前記光磁気ディスクの記録許可を識別し、かつ録音するときに前記作動部材により前記磁気ヘッドを前記光磁気ディスクに接触させるようにしたことを特徴とする光磁気ディスク記録再生装置。
　【請求項２】　請求項１記載の光磁気ディスク記録再生装置において、前記作動部材は前記光磁気ディスクの挿入方向と平行な方向に駆動されることを特徴とする光磁気ディスク記録再生装置。
　【請求項３】　請求項１又は請求項２記載の光気ディスク記録再生装置において、前記作動
部材は前記光磁気ディスクを前記ターンテーブルから離した状態、前記光磁気ディスクを前記ターンテーブルに装着し前記磁気ヘッドを前記光磁気ディスクから離した状態、および前記光磁気ディスクを前記ターンテーブルに装着し前記磁気ヘッドを前記光磁気ディスクに接触させた状態である少なくとも３位置に制御されることを特徴とする光磁気ディスク記録再生装置。」
ｉｉ）特許法第２９条の２違反について
　当審が取消理由通知で引用した本件の出願日前の平成４年６月８日の出願であって、その出願後の平成５年１２月２４日に出願公開された特願平４−１４７４５１号の願書の最初に添付された明細書又は図面（以後、第１先願明細書という。特開平５−３４２７３７号公報参照）及び、同様に本件の出願日前の平成４年５月２２日に出願され、その出願後の平成５年１２月１０日に出願公開された特願平４−１９０２５３号の願書の最初に添付された明細書又は図面（以後第２先願明細書という。特開平５−３２５３７５号公報参照）に記載された発明と本件訂正明細書の請求項１に係る発明とを対比すると、
　第１先願明細書に記載の発明では、磁気ヘッドは、「磁気ヘッド２５もディスクカートリッジ１１もアンローディング位置にあって該デイスクカートリッジ１１の脱着が可能な脱着可能状態、ディスクカートリッジ１１がローディング位置に位置されかつ磁気ヘッド２５がアンローディング位置とローディング位置の中間にある装填途中状態、およびディスクカートリッジ１１とともに磁気ヘッド２５もローディング位置とされた記録／再生可能状態」（公報第５欄第１９〜２７行）と記載されるように中間位置である「装填途中状態」を含む３つの位置を取り、第２先願明細書に記載の発明でも、
　「上記メインスライダ２０の往復摺動で上記ラック２３も前後方向に往復移動することにより上記支持アーム１０の先端部１０ｂ側が３段階に上下方向に揺動するようになっている。即ち、上記カム３１のピン３２がラック２３のカム溝２３ｂの段差部Ａの位置の時に、上記支持アーム１０の先端側に取付けられた磁気ヘッド１２が光学ピックアップ７の対物レンズ７ａから最も離れた待機ポジション（エジェクトポジション）になり、また、上記カム３１のピン３２が図６に示すようにラック２３のカム溝２３ｂの段差部Ｂの位置の時に、上記支持アーム１０の先端側に取付けられた磁気ヘッド１２が光学ピックアップ７の対物レンズ７ａに近接した再生ポジションになり、さらに、上記カム３１のピン３２がラック２３のカム溝２３ｂの段差部Ｃの位置の時に、上記支持アーム１０の先端側に取付けられた磁気ヘッド１２が光学ピックアップ７の対物レンズ７ａに最も近接した記録ポジションになるように構成してある。」（公報第６欄第４〜２０行）と記載されるように、磁気ヘッドはやはり中間位置である「再生ポジション」を含む３つの位置を取る構成になっていることから、
　【相違点１】本件訂正明細書の請求項１に係る発明を特定する事項である、「搬送手段と前記磁気ヘッド駆動手段とに共通の駆動源からの駆動力を伝達し前記光磁気ディスクを前記ターンテーブルから離し前記磁気ヘッドを前記光磁気ディスクから離した第１の位置とする状態、前記光磁気ディスクを前記ターンテーブルに装着し前記磁気ヘッドを前記光磁気ディスクから離した前記第１の位置とする状態および前記光磁気ディスクを前記ターンテーブルに装着し前記磁気ヘッドを前記光磁気ディスクに接触させた第２の位置とする状態に遷移させる作動部材」を欠く。
　また、第１先願明細書に記載の発明では、
「ディスク判別手段６８（図９）が、装填された光磁気ディスク１２は片面用であるか両面用であるかを判別する。ディスク判別手段６８により、光磁気ディスク１２は両面用であると判別されたときは、案内カム板３５をそれ以上移動させずに、光ヘッド２４による読み出しのみを行なう。また光磁気ディスク１２は片面用であると判別されたときは、駆動モータ６１を正転駆動して案内カム板３５をさらに同方向に移動させ、磁気ヘッド２５をローディング位置に移動させるように構成されている。」ため、「ディスク判別手段で光磁気ディスクが片面用であると判別する」と、すなわち「識別手段によって光磁気ディスクの記録許可を識別する」と、特に録音の指示が無くとも磁気ヘッドをローディング位置に移動させる（公報第５欄第３７〜４３行）。第２先願明細書に記載の発明では、記録モードであれば光磁気ディスクの種別、記録許可の有無に関わりなく、磁気ヘッドが記録ポジションに移動する。その結果、第１及び第２先願明細書に記載の発明は、いずれも、
　【相違点２】本件訂正明細書の請求項１に係る発明を特定する事項である、
「識別手段により装着された前記光磁気ディスクの記録許可を識別し、かつ録音するときに作動部材により前記磁気ヘッドを光磁気ディスクに接触させる」構成を欠く。
　そして、上記の事項は各先願明細書に記載の事項から自明でなく、同時に示した周知技術と等価的に置換可能な事項でもない。
　さらに、本件訂正明細書の請求項１に係る発明は当該事項により、再生時に磁気ヘッドが光磁気ディスクと接触して摩耗したり、中間位置を取ることによる磁気ヘッドの無駄な操作を無くして電力の消費を抑えたり、更には薄型化、構成の簡略化等の顕著な効果を奏する。
　以上より、訂正明細書の請求項１に係る発明は第１及び第２先願明細書に記載された発明のいずれとも同一であるとは言えない。
　また、訂正明細書の請求項２及び３に係る発明は、請求項１に係る発明の構成の全てをその構成に含むことから、同様に第１及び第２先願明細書に記載された発明のいずれとも同一であるとは言えない。
　更に、同時に引用した特願平３−３１５２７０号（特開平５−１２８６１６号公報参照）、特願平４−３１９５０５号（特開平６−１５０４３６号公報参照）、特願平４−１５８８２０号（特開平５−３２５２９６号公報参照）、特願平４−３０８５７７号（特開平６−１６２６４９号公報参照）に最初に添付した明細書に記載の各発明のいずれとも構成が異なる。
　従って、特許法第２９条の２の規定に対する違反は認められない。
（４）むすび
　以上より、上記訂正は、特許法第１２０条の４第２項及び第３項で準用する同法第１２６条第２項ないし第４項の規定に適合するので、当該訂正を認める。
３．特許異議申立てについての判断
（１）申立ての理由の概要
　特許異議申立人山尾　信彦は、甲第１号証（特開平６−１５０４３６号公報）及び甲第２号証（特開平６−７６５１３号公報）を示し、請求項１には、作用・効果を全く異にする技術的思想が２つ記載されており、そのいずれも、本件特許の先願に係る甲第１号証あるいは甲第２号証に全て開示されており、請求項２及び３が特徴とする構成要件は甲第２号証に全て開示されているため、特許法第２９条の２の規定により特許を受けることができないものであるとして、特許法第１１３条第１項、同第２項の規定により特許を取り消すべきであると主張している。
（２）判断
　上記２で特許請求の範囲等の訂正が認められた結果、本件特許請求の範囲の請求項１ないし３に係る発明は、上記２、（３）、ｉ）の特許請求の範囲の請求項１ないし３に記載されるとおりのものになり、甲第１号証に記載の発明には、本件請求項１に係る発明を特定する事項である、「前記搬送手段と前記磁気ヘッド駆動手段とに共通の駆動源からの駆動力を伝達し前記光磁気ディスクを前記ターンテーブルから離し前記磁気ヘッドを前記光磁気ディスクから離した第１の位置とする状態、前記光磁気ディスクを前記ターンテーブルに装着し前記磁気ヘッドを前記光磁気ディスクから離した前記第１の位置とする状態および前記光磁気ディスクを前記ターンテーブルに装着し前記磁気ヘッドを前記光磁気ディスクに接触させた第２の位置とする状態に遷移させる作動部材」を備えておらず、この点について、異議申立人は甲第２号証に示唆されていると主張するが、甲第２号証も甲第１号証と同様に、本件出願前に出願され、その出願後に出願公開されたものであるため、甲第１号証に記載の発明に、甲第２号証に記載の発明を適用することはできず、且つ甲第２号証に記載の発明は、２個の光ヘッドにて記録再生を行う装置において、記録媒体のローデイング機構によって、前記光ヘッドの移送系の位置決めと記録媒体のローデイングを前記ローデイング機構で同期的に行うもので、上記請求項１に係る発明を特定する事項とは異なることから、前記請求項１に係る発明は甲第１号証及び甲第２号証に記載のいずれの発明とも同一とは言えない。同様に、前記請求項１に係る発明の構成の全てを、その構成の内に含む請求項２及び３に係る発明も、甲第１号証及び甲第２号証に記載の発明のいずれとも同一ではない。
　従って、本件特許請求の範囲の請求項１ないし３に係る発明に対する特許は、特許法第２９条の２に違反するものではない。
（３）むすび
　以上のとおりであるから、特許異議申立の理由及び証拠によっては、本件特許請求の範囲の請求項１ないし３に係る発明についての特許を取り消すことはできない。
　また、他に本件の特許を取り消すべき理由は見あたらない。
　よって、結論のとおり決定する。
【異議決定日】
平成１１年８月３０日（１９９９．８．３０）
【訂正の要旨】
訂正の要旨
本件特許第２７８８５８６号の特許明細書（記載欄及び記載行位置は特許公報上のものをもって代用する）の、
（イ）特許請求の範囲の請求項１の第６〜１２行の
　『前記搬送手段と〜とを備え、』の記載を
　『前記搬送手段と前記磁気ヘッド駆動手段とに共通の駆動源からの駆動力を伝達し前記光磁気ディスクを前記ターンテーブルから離し前記磁気ヘッドを前記光磁気ディスクから離した第１の位置とする状態、前記光磁気ディスクを前記ターンテーブルに装着し前記磁気ヘッドを前記光磁気ディスクから離した前記第１の位置とする状態および前記光磁気ディスクを前記ターンテーブルに装着し前記磁気ヘッドを前記光磁気ディスクに接触させた第２の位置とする状態に遷移させる作動部材とを備え、』と補正する。
（ロ）特許明細書の【００１１】第６〜１２行の『前記搬送手段と〜とを備え、』の記載を
　『前記搬送手段と前記磁気ヘッド駆動手段とに共通の駆動源からの駆動力を伝達し前記光磁気ディスクを前記ターンテーブルから離し前記磁気ヘッドを前記光磁気ディスクから離した第１の位置とする状態、前記光磁気ディスクを前記ターンテーブルに装着し前記磁気ヘッドを前記光磁気ディスクから離した前記第１の位置とする状態および前記光磁気ディスクを前記ターンテーブルに装着し前記磁気ヘッドを前記光磁気ディスクに接触させた第２の位置とする状態に遷移させる作動部材とを備え、』と補正する。
（５４）【発明の名称】
光磁気ディスク記録再生装置
（５７）【特許請求の範囲】
　　【請求項１】　カートリッジに内蔵された光磁気ディスクをターンテーブルに装着する搬送手段と、前記光磁気ディスクの信号記録トラックにレーザスポットを照射する光ピックアップと、前記光磁気ディスクを挟んで前記レーザスポットの背面から磁界を印加する磁気ヘッドと、前記磁気ヘッドを前記光磁気ディスクに接離させる磁気ヘッド駆動手段と、前記光磁気ディスクの記録が許可されているか否かを識別する識別手段と、前記搬送手段と前記磁気ヘッド駆動手段とに
共通の駆動源からの駆動力を伝達し前記光磁気ディスクを前記ターンテーブルから離し前記磁気ヘッドを前記光磁気ディスクから離した第１の位置とする状態、前記光磁気ディスクを前記ターンテーブルに装着し前記磁気ヘッドを前記光磁気ディスクから離した前記第１の位置とする状態および前記光磁気ディスクを前記ターンテーブルに装着し前記磁気ヘッドを前記光磁気ディスクに接触させた第２の位置とする
　前記識別手段により装着された前記光磁気ディスクの記録許可を識別し、かつ録音するときに前記作動部材により前記磁気ヘッドを前記光磁気ディスクに接触させるようにしたことを特徴とする光磁気ディスク記録再生装置。
　　【請求項２】　請求項１記載の光磁気ディスク記録再生装置において、前記作動部材は前記光磁気ディスクの挿入方向と平行な方向に駆動されることを特徴とする光磁気ディスク記録再生装置。
　　【請求項３】　請求項１又は請求項２記載の光磁気ディスク記録再生装置において、前記作動部材は前記光磁気ディスクを前記ターンテーブルから離した状態、前記光磁気ディスクを前記ターンテーブルに装着し前記磁気ヘッドを前記光磁気ディスクから離した状態、および前記光磁気ディスクを前記ターンテーブルに装着し前記磁気ヘッドを前記光磁気ディスクに接触させた状態である少なくとも３位置に制御されることを特徴とする光磁気ディスク記録再生装置。
【発明の詳細な説明】
　　　【０００１】
　　【産業上の利用分野】
　この発明は光磁気ディスク記録再生装置に係わり、特に、レコーダブル光磁気ディスクの磁気ヘッド位置制御方式に関する。
　　　【０００２】
　　【従来の技術】
　書換え可能な光磁気ディスク（レコーダブル光磁気ディスク）と再生専用光ディスク（プリマスタード光ディスク）との双方を再生し、レコーダブル光磁気ディスクに記録することができる光磁気ディスク記録再生装置が知られている。プリマスタード光ディスクはピットにより情報が記録されて光ピックアップからのレーザスポットの反射光により情報が再生される。
　　　【０００３】
　レコーダブル光磁気ディスクは内周側のピット情報記録エリアの外側にレコーダブル・エリアが設けられている。レコーダブル・エリアにはユーザズトックエリア（Ｕ−ＴＯＣ）とプログラムエリアがあり、ここにはピットがない代りにトラックを案内するグルーブ（溝）が掘られており、このグルーブに沿って情報を記録する。
　　　【０００４】
　グルーブは波形にうねっており、そのうねり（ウォブル）により生じる信号の平均周波数が２２．０５ｋＨｚとなるようにディスクの回転が制御される。さらに、このウォブルの中に記録開始位置からの絶対時間（アドレス情報）がＦＭ変調されて記録されている。
　　　【０００５】
　記録は磁性膜の磁化により行われる。すなわち、磁性膜をレーザスポットによりキューリ点以上に加熱し、そこに信号に従って反転する磁気ヘッドの磁界を加えた後、冷却すると磁性膜に信号が磁化方向の変化として記録される。磁性膜の磁化の方向によりレーザの反射光の偏光面の回転方向が異なりレーザスポットの反射光の偏光面の変化を検出することにより情報が再生される。
　　　【０００６】
　プリマスタード光ディスクを収納するカートリッジには所定部分に記録が禁止されていることを示す穴が設けられている。レコーダブル光磁気ディスクを収納するカートリッジには上記と同様の穴があり、それを覆うシャッターが設けられている。レコーダブル光磁気ディスクの記録を禁止するときはシャッターは開かれ、記録を許可するときはシャッターは閉じられる。
　　　【０００７】
　従来の光磁気ディスク記録再生装置では、記録禁止を示す穴の有無を検出することにより記録が禁止されているか許可されているかの区別を識別し、記録が許可された光磁気ディスクがローディングされると常時磁気ヘッドをディスクに接触させていた。
　　　【０００８】
　　【発明が解決しようとする課題】
　上記した従来の光磁気ディスク記録再生装置によると、記録が許可された光磁気ディスクを再生するときにも磁気ヘッドをディスクに接触させたままとしているためディスクや磁気ヘッドの磨耗量が大きくそれらの寿命に悪影響を及ぼすという欠点があった。
　　　【０００９】
　また、ディスクと磁気ヘッドの接触抵抗が発生するためにスピンドルモータの負荷が増大し、電池で駆動する場合に電池消耗が大きいという問題があった。
　　　【００１０】
　この発明は上記した点に鑑みてなされたものであって、その目的とするところは、磁気ヘッドとディスクの寿命を長くし、また、電池駆動の場合に電池の使用可能時間が長くなる光磁気ディスク記録再生装置を提供することにある。
　　　【００１１】
　　【課題を解決するための手段】
　この発明の光磁気ディスク記録再生装置は、カートリッジに内蔵された光磁気ディスクをターンテーブルに装着する搬送手段と、前記光磁気ディスクの信号記録トラックにレーザスポットを照射する光ピックアップと、前記光磁気ディスクを挟んで前記レーザスポットの背面から磁界を印加する磁気ヘッドと、前記磁気ヘッドを光磁気ディスクに接離させる磁気ヘッド駆動機構と、前記光磁気ディスクの記録が許可されているか否かを識別する識別手段と、前記搬送手段と前記磁気ヘッド駆動手段とに共通の駆動源からの駆動力を伝達し前記光磁気ディスクを前記ターンテーブルから離し前記磁気ヘッドを前記光磁気ディスクから離した第１の位置とする状態、前記光磁気ディスクを前記ターンテーブルに装着し前記磁気ヘッドを前記光磁気ディスクから離した前記第１の位置とする状態および前記光磁気ディスクを前記ターンテーブルに装着し前記磁気ヘッドを前記光磁気ディスクに接触させた第２の位置とする状態に遷移させる作動部材とを備え、前記識別手段により装着された前記光磁気ディスクの記録許可を識別し、かつ録音するときに前記作動部材により前記磁気ヘッドを前記光磁気ディスクに接触させるように構成したものである。
　　　【００１２】
　また、前記光磁気ディスク記録再生装置において、前記作動部材が前記光磁気ディスクの挿入方向と平行な方向に駆動されるものである。
　　　【００１３】
　さらに、前記各光磁気ディスク記録再生装置において、前記作動部材は前記光磁気ディスクを前記ターンテーブルから離した状態、前記光磁気ディスクを前記ターンテーブルに装着し前記磁気ヘッドを前記光磁気ディスクから離した状態、および前記光磁気ディスクを前記ターンテーブルに装着し前記磁気ヘッドを前記光磁気ディスクに接触させた状態である少なくとも３位置に制御されるように構成したものである。
　　　【００１４】
　　【作用】
　この発明の光磁気ディスク記録再生装置によれば、記録が許可された光磁気ディスクの再生中は磁気ヘッドがディスクから離されているので、磁気ヘッドとディスクの寿命が長くなる。
　　　【００１５】
　また、電池駆動の場合に電池の使用可能時間が長くなる。一般に記録が許可された光磁気ディスクにおいても録音より再生の回数の方が多いので再生中の磁気ディスクと磁気ヘッドとの摩擦をなくすことの効果は大きい。
　　　【００１６】
　また、この発明の光磁気ディスク記録再生装置で共通のカムによりホルダと磁気ヘッドの位置制御を行うものは、その駆動機構の簡素化が図られ製造コストが削減される。
　　　【００１７】
　　【実施例】
　この発明の実施例である光磁気ディスク記録再生装置を図面に基づいて説明する。図１はこの発明の実施例である光磁気ディスク記録再生装置を示す分解斜視図である。図において、１はミニディスクと呼ばれる光磁気ディスクカートリッジである。光磁気ディスクカートリッジでレコーダブル光磁気ディスクを収容するものは上下両面にシャッターが設けられている。また、コーナに記録禁止を示す穴とそれを覆うシャッターが設けられている。プリマスタード光ディスクを収容するものは下面にシャッターが設けられ、また、コーナに記録禁止を示す穴が設けられている。
　　　【００１８】
　２は光磁気ディスクカートリッジ１を保持して昇降するホルダである。ホルダ２の左右両面に立設されたロッド２ａ，２ａは…シャーシ３に固定されたガイド板１３の縦長穴とスライダ１２のカム溝１２ａ，１２ａ…を挿通している。ガイド板１３とスライダ１２は左右両側に設けられているが左側のもののみを図示している。スライダ１２は図示していない駆動機構により前後に駆動されホルダ２を昇降させる。
　　　【００１９】
　光ピックアップ４を支持するピックアップ台５はシャーシ３に固定されたガイドロッド６に案内されピックアップ送りモータ（図示していない）により左右方向に送られる。ピックアップ台５には軸受７が固定されており、軸受７はアーム８を回動自在に支持している。アーム８に固着された板ばね９の先端に磁気ヘッド１０が取付けられている。
　　　【００２０】
　アーム８に設けられたロッド８ａはスライダ１２のカム溝１２ｂを挿通している。シャーシ３に固定されたスピンドルモータの回転軸にはターンテーブル１１が固着されている。光磁気ディスクの記録が許可されているか否かを識別するスイッチ１４はシャーシ３に固定されている。
　　　【００２１】
　ディスクのローディング動作において、光磁気ディスクカートリッジ１はホルダ２が上昇した状態で図示していないトレイによりホルダ２内に押込まれる。このとき光磁気ディスクカートリッジ１のシャッターが開かれる。
　　　【００２２】
　ホルダ２はスライダ１２が前進した位置で上昇しており、このとき図２（ａ）に示すようにスライダ１２はスイッチ１５を作動させている。なお、図１には示していないスイッチ１５，１６および１７はシャーシに固定されている。
　　　【００２３】
　光磁気ディスクカートリッジ１がホルダ２内に押込まれた後にスライダ１２が後退することにより光磁気ディスクカートリッジ１はホルダ２と共に下降し、ディスクの内周部がターンテーブル１１に磁力により吸着され、光磁気ディスクはターンテーブルにより回転されるようになる。このときスイッチ１４は光磁気ディスクカートリッジ１の穴の有無により記録が許可されているか否かを識別するる。
　　　【００２４】
　図２（ｂ）にホルダ２が下降した状態を示す。ホルダ２の下降はスイッチ１７により検出される。このとき磁気ヘッド１０はディスクに接触しておらず、再生のみが可能である。
　　　【００２５】
　ローディングされたディスクの記録が許可されており、記録を行うときには、スライダ１２が図２（ｂ）に示す位置よりさらに後方に送られ、磁気ヘッド１０はディスクに圧接される。そのときのスライダ１２の停止位置は図２（ｃ）に示すようにスイッチ１６で検出される。この状態で光ピックアップ４のレーザスポットで加熱されたディスクの磁性膜に記録信号で変調された磁界が磁気ヘッド１０により印加されてディスクに情報が記録される。
　　　【００２６】
　このように、ディスクに録音するときのみ磁気ヘッド１０がディスクに圧接されるので、再生するときにも磁気ヘッド１０をディスクに圧接するものに比べ磁気ヘッドおよびディスクの磨耗が小さく、また、電力の消費も少なくなる。
　　　【００２７】
　　【発明の効果】
　この発明の光磁気ディスク記録再生装置によれば、記録が許可された光磁気ディスクの再生中は磁気ヘッドがディスクから離されているので、磁気ヘッドとディスクの寿命が長くなる。
　　　【００２８】
　また、一般に記録が許可された光磁気ディスクにおいても録音より再生の回数の方が多いので再生中の磁気ディスクと磁気ヘッドとの摩擦をなくすことの効果が大きく、電池駆動の場合に電池の使用可能時間が長くなる。
　　　【００２９】
　また、この発明の光磁気ディスク記録再生装置で共通のカムによりホルダと磁気ヘッドの位置制御を行うものは、その駆動機構の簡素化が図られ製造コストが削減される。
【図面の簡単な説明】
　　【図１】
　この発明の実施例である光磁気ディスク記録再生装置を示す分解斜視図である。
　　【図２】
　同光磁気ディスク記録再生装置の作用を示す側面図である。
　　【符号の説明】
　１　光磁気ディスクカートリッジ
　２　ホルダ
　２ａ　ロッド
　３　シャーシ
　４　光ピックアップ
　５　ピックアップ台
　６　ガイドロッド
　７　軸受
　８　アーム
　８ａ　ロッド
　９　板ばね
　１０　磁気ヘッド
　１１　ターンテーブル
　１２　スライダ
　１２ａ　カム溝
　１２ｂ　カム溝
　１３　ガイド板
　１４　スイッチ
　１５　スイッチ
　１６　スイッチ
　１７　スイッチ